(57)【特許請求の範囲】
【請求項１】
軒樋保持具本体と支持体と固定具と弾性体とから構成される軒樋吊具であって、
前記軒樋保持具本体は屋外側先端部に屋外側耳保持部と、この屋外側耳保持部より屋内側に屋内側耳保持部が設けられた棒状体であり、この棒状体には、上面から下面に貫通した長手方向に長い長孔と下面に係止部とが設けられ、
前記支持体は、取付部とこの取付部から屋外側に突出した腕部とからなり、この腕部の屋外側先端部には、上面から下面に貫通した貫通孔と、両側縁部が下方に垂下された断面コ字形の挟持部とが設けられ、
前記固定具は、下端部に突起を有する頭部付きＴ字形部材で、
腕部の挟持部の略コ字形の中に軒樋保持具本体が長手方向に摺動自在に挿入され、固定具が腕部の貫通孔と軒樋保持具本体の長孔の中に挿入され、固定具の頭部と腕部の挟持部との間に前記弾性体が設けられ、常時、弾性体によって固定具の頭部が押し上げられて、固定具の突起が棒状体の係止部に係止され、固定具を下方に押すと突起が係止部から外れて、軒樋保持具本体が長手方向に摺動自在になされていることを特徴とする軒樋吊具。
【請求項２】
軒樋保持具本体と支持体とピストンピンとバネ板とから構成される軒樋吊具であって、
前記軒樋保持具本体は屋外側先端部に屋外側耳保持部と、この屋外側耳保持部より屋内側に屋内側耳保持部が設けられた棒状体であり、この棒状体には、上面から下面に貫通した長手方向に長い長孔と、下面に複数の凹凸状の係止部とが設けられ、
前記支持体は、取付部と、この取付部から屋外側に突出した腕部とからなり、この腕部の屋外側先端部には、両側縁部が下方に垂下された断面コ字形の挟持部が設けられ、
前記バネ板は、挟持部の上面がコ字状に切り込まれ、コ字状に切り込まれた部分が上方向に折曲されて形成されたものであり、このバネ板のほぼ中央部に貫通孔が設けられ、
前記ピストンピンは、下端部に小孔が設けられた頭部付きＴ字形部材と小棒とからなり、この小孔に小棒を差し込まれて突起が形成され、
腕部の挟持部の略コ字形の中に軒樋保持具本体が長手方向に摺動自在に挿入され、ピストンピンがバネ板の貫通孔と軒樋保持具本体の長孔の中に挿入され、腕部の挟持部に形成されたバネ板によって、常時、ピストンピンの頭部が押し上げられて、ピストンピンの突起が棒状体の棒状体の係止部に係止され、ピストンピンを下方に押すと突起が係止部から外れて、軒樋保持具本体が長手方向に摺動自在になされていることを特徴とする軒樋吊具。
【請求項３】
軒樋保持具本体と支持体とピストンピンとスプリングバネとから構成される軒樋吊具であって、
前記軒樋保持具本体は屋外側先端部に屋外側耳保持部が設けられ、この屋外側耳保持部より屋内側に屋内側耳保持部が設けられた棒状体であり、この棒状体には、上面から下面に貫通した長手方向に長い長孔と、下面に複数の凹凸状の係止部とが設けられ、
前記支持体は、取付部と、この取付部から屋外側に突出した腕部とからなり、この腕部の屋外側先端部には、上面から下面に貫通した貫通孔と両側縁部が下方に垂下された断面コ字形の挟持部とが設けられ、
前記ピストンピンは、下端部に小孔が設けられた頭部付きＴ字形部材と小棒とからなり、この小孔に小棒を差し込まれて突起が形成され、
腕部の挟持部の略コ字形の中に軒樋保持具本体が長手方向に摺動自在に挿入され、ピストンピンがスプリングバネの螺旋の内部と挟持部の貫通孔と軒樋保持具本体の長孔の中に挿入され、ピストンピンの頭部と腕部の挟持部との間のスプリングバネによって、常時、ピストンピンの頭部が押し上げられて、ピストンピンの突起が棒状体の係止部に係止され、ピストンピンを下方に押すと突起が係止部から外れて、軒樋保持具本体が長手方向に摺動自在になされていることを特徴とする軒樋吊具。
【発明の詳細な説明】
【０００１】
【発明の属する技術分野】
本発明は、軒先に取着固定されて軒樋を保持する軒樋吊具に関する。
【０００２】
【従来の技術】
従来、軒樋を保持する軒樋吊具には種々な構造のものがあるが、特開平５−３１１８２６号公報に記載あるように、軒先に固定される支持体と、屋内側から屋外側に長い長尺体である軒樋保持具本体とからなり、前記支持体には、屋内側に設けられた取付部と、この取付部より屋外側に突出した腕部と、腕部の先端部に貫通孔とが設けられ、前記軒樋保持具本体は屋外側先端に屋外側耳保持部と、この屋外側耳保持部より屋内側に屋内側耳保持部とが設けられた長尺体であり、この長尺体に上面から下面に貫通した長手方向に長い長孔が設けられ、腕部と軒樋保持具本体とが貫通孔と長孔とに通されたボルトとナットで連結されたものであり、軒樋保持具本体が長孔に沿って支持体と建屋の壁に対し離接する方向にスライド自在に装着された軒樋吊具が知られている。
この軒樋吊具は、軒樋保持具本体の長尺体の長孔と腕部の貫通孔とに通されたボルトとナットを緩めて、軒樋保持具本体を長孔に沿って移動させて出寸法調整した後、このボルトにナットを螺入して腕部と軒樋保持具本体とを固定するものである。
【０００３】
【発明が解決しようとする課題】
しかしながら、特開平５−３１１８２６号公報記載の軒樋吊具にあっては、下方に向けて腕部の先端部の貫通孔と長尺体の長孔にボルトとナットを緩め、出寸法調整した後、長尺体の長孔の下にナットで腕部と軒樋保持具本体とを固定するため、軒樋施工時、高所で一方の手でボルトを保持し、他方の手でナットを螺入して、締めつけて取り付ける作業を行う必要があり、非常にやりにくく、施工に時間がかかり、危険であり、安全性に問題がある。
そこで、本発明の目的は、上記問題に着目してなされたもので、出寸法調整し、簡単に、軒樋保持具本体を支持体に止着させることができる軒樋吊具を提供するものである。
【０００４】
【問題を解決するための手段】
本発明は上記の目的を達成するためになされたもので、請求項１の発明は、軒樋保持具本体と支持体と固定具と弾性体とから構成される軒樋吊具であって、前記軒樋保持具本体は屋外側先端部に屋外側耳保持部と、この屋外側耳保持部より屋内側に屋内側耳保持部が設けられた棒状体であり、この棒状体には、上面から下面に貫通した長手方向に長い長孔と下面に係止部とが設けられ、前記支持体は、取付部と、この取付部から屋外側に突出した腕部とからなり、この腕部の屋外側先端部には、上面から下面に貫通した貫通孔と、両側縁部が下方に垂下された断面コ字形の挟持部とが設けられ、前記固定具は、下端部に突起を有する頭部付きＴ字形部材で、腕部の挟持部の略コ字形の中に軒樋保持具本体が長手方向に摺動自在に挿入され、固定具が腕部の貫通孔と軒樋保持具本体の長孔の中に挿入され、固定具の頭部と腕部の挟持部との間に前記弾性体が設けられ、常時、弾性体によって固定具の頭部が押し上げられて、固定具の突起が棒状体の係止部に係止され、固定具を下方に押すと突起が係止部から外れて、軒樋保持具本体が長手方向に摺動自在になされているものである。
【０００５】
請求項２の発明は、軒樋保持具本体と支持体とピストンピンとバネ板とから構成される軒樋吊具であって、前記軒樋保持具本体は屋外側先端部に屋外側耳保持部と、この屋外側耳保持部より屋内側に屋内側耳保持部が設けられた棒状体であり、この棒状体には上面から下面に貫通した長手方向に長い長孔と、下面に複数の凹凸状の係止部とが設けられ、前記支持体は、取付部と、この取付部から屋外側に突出した腕部とからなり、この腕部の屋外側先端部には、両側縁部が下方に垂下された断面コ字形の挟持部が設けられ、バネ板は、挟持部の上面がコ字状に切り込まれ、コ字状に切り込まれた部分が上方向に折曲されて形成されたものであり、このバネ板のほぼ中央部に貫通孔が設けられ、前記ピストンピンは、下端部に小孔が設けられた頭部付きＴ字形部材と小棒とからなり、この小孔に小棒を差し込まれて突起が形成され、腕部の挟持部の略コ字形の中に軒樋保持具本体が長手方向に摺動自在に挿入され、ピストンピンがバネ板の貫通孔と軒樋保持具本体の長孔の中に挿入され、腕部の挟持部に形成されたバネ板によって、常時、ピストンピンの頭部が押し上げられて、ピストンピンの突起が棒状体の棒状体の係止部に係止され、ピストンピンを下方に押すと突起が係止部から外れて、軒樋保持具本体が長手方向に摺動自在になされているものである。
【０００６】
請求項３の発明は、軒樋保持具本体と支持体とピストンピンとスプリングバネとから構成される軒樋吊具であって、前記軒樋保持具本体は屋外側先端部に屋外側耳保持部が設けられ、この屋外側耳保持部より屋内側に屋内側耳保持部が設けられた棒状体であり、この棒状体には、上面から下面に貫通した長手方向に長い長孔と、下面に複数の凹凸状の係止部とが設けられ、前記支持体は、取付部と、この取付部から屋外側に突出した腕部とからなり、この腕部の屋外側先端部には、上面から下面に貫通した貫通孔と両側縁部が下方に垂下された断面コ字形の挟持部とが設けられ、前記ピストンピンは、下端部に小孔が設けられた頭部付きＴ字形部材と小棒とからなり、この小孔に小棒を差し込まれて突起が形成され、腕部の挟持部の略コ字形の中に軒樋保持具本体が長手方向に摺動自在に挿入され、ピストンピンがスプリングバネの螺旋の内部と挟持部の貫通孔と軒樋保持具本体の長孔の中に挿入され、ピストンピンの頭部と腕部の挟持部との間のスプリングバネによって、常時、ピストンピンの頭部が押し上げられて、ピストンピンの突起が棒状体の係止部に係止され、ピストンピンを下方に押すと突起が係止部から外れて、軒樋保持具本体が長手方向に摺動自在になされているものである。
【０００７】
請求項１の発明において、固定具は、上端部に頭部を有するＴ字形部材で、下端部に突起を持ち、頭部と突起とで弾性体と腕部の屋外側先端部と棒状体を鋏み、軒樋保持具本体と支持体とを止着できるものであれば、適宜なものでよく、例えば、請求項２及び請求項３の発明のピストンピン（後述説明）であると、ピストンピンの上下運動によって、取り付け、取り外しが簡単にできるので、好ましい。
【０００８】
ここでいうピストンピンとは、上端部に頭部を有するＴ字形部材で、このＴ字形部材の下端部に突起を設けた形状のものである。このピストンピンを、弾性体の貫通孔と腕部の屋外側先端部の貫通孔と棒状体の長孔の中に挿入し、突起を棒状体の係止部に引っ掛け、頭部と突起とで弾性体と腕部の屋外側先端部と棒状体を鋏み、ピストンピンの上下することによって、弾性体が膨張収縮して係止部に係止された突起を外したり、係止したりして、軒樋保持具本体と支持体とを摺動自在にしたり、止着できるものである。
【０００９】
又、上端部に頭部を有するＴ字形部材に突起を設ける方法としては、Ｔ字形部材の下端部、且つ、頭部と突起とで弾性体と腕部の屋外側先端部と棒状体を鋏んだとき、弾性体が頭部を押さえつける位置に、小孔を設け、この小孔に小棒を差し込んで、突起を付ける方法と、下端部の同じ位置に、Ｔ字形部材の左右両側に小片を接着して、突起を付ける方法等がある。尚、後者の方法の場合は、弾性体の貫通孔と腕部の屋外側先端部の貫通孔とを楕円形状の孔にして、ピストンピンに付いている両側の突起を、弾性体の貫通孔と腕部の屋外側先端部の貫通孔との長手方向と、軒樋保持具本体の長孔とを合わせて挿入し、ピストンピンをほぼ９０度回動させて、左右両側に小片を接着して作られた突起を棒状体の係止部に引っ掛けて係止すればよい。
【００１０】
請求項１の発明において、弾性体は、固定具を弾性体の貫通孔と腕部の屋外側先端部の貫通孔と棒状体の長孔に挿入し、突起を棒状体の係止部に係止させたとき、常時、弾性体が固定具の頭部を押し上げているものであれば、適宜なものでよく、例えば、バネ板、スプリングバネ、ゴム等が挙げられ、これらは構造が簡単であるので、好ましい。
【００１１】
請求項２の発明においては、挟持部の上面がコ字状に切り込まれ、コ字状に切り込まれた部分が上方向に折曲されてバネ板が形成されている。
【００１２】
軒樋吊具の材質は金属、合成樹脂等適宜なものでよく、例えば、軒樋保持具本体は合成樹脂製で、特に、ポリカーボネート樹脂であると、軽量、美観、成型性等の点で好ましく、又、支持体は、金属製で、特に、ステンレスであると、対候性、耐久性、頑丈の点で好ましい。
【００１３】
（作用）
請求項１記載の発明の軒樋吊具では、支持体の腕部の屋外側先端部には、両側縁部が下方に垂下された断面コ字形の挟持部が設けられ、腕部の挟持部の略コ字形の中に軒樋保持具本体が長手方向に摺動自在に挿入されているから、軒樋保持具本体を腕部の挟持部の略コ字形の中を長手方向に摺動させて、軒樋吊具の出寸法位置を調整することができる。
【００１４】
又、軒樋保持具本体は、屋外側先端部に屋外側耳保持部と、この屋外側耳保持部より屋内側に屋内側耳保持部が設けられた棒状体であり、この棒状体には上面から下面に貫通した長手方向に長い長孔と下面に係止部とが設けられ、固定具は、下端部に突起を有する頭付きＴ字形部材であり、固定具が腕部の貫通孔と軒樋保持具本体の長孔の中に挿入され、固定具の頭部と腕部の挟持部との間に弾性体が設けられているから、常時、弾性体によって固定具の頭部が押し上げられて、固定具の下端部の突起が棒状体の係止部に引っ掛って係止されているので、固定具の頭付きＴ字形部材を下方向に押すと、弾性体が縮んで、固定具の下端部の突起が軒樋保持具本体の棒状体の下面の係止部から外れ、軒樋保持具本体を長手方向に摺動することができるようになる。
従って、片手の指で固定具の頭付きＴ字形部材を下方に押して、軒樋保持具本体を係止部から外し、上記のようにして、出寸法位置を調整した後、手を離すと、弾性体が元に戻る力で、固定具の頭部付きＴ字形部材を上方向に押し上げ、固定具の下端部に突起が軒樋保持具本体の棒状体の下面の係止部に引っ掛かり、しっかりと軒樋保持具本体を支持体に止着することができる。
【００１５】
請求項２記載の発明の軒樋吊具では、支持体の腕部の屋外側先端部には両端縁部が下方に垂下された断面略コ字形状の挟持部が設けられ、腕部の略コ字形の中に軒樋保持具本体が長手方向に摺動自在に挿入されているから、軒樋保持具本体を腕部の略コ字形の中を長手方向に摺動させて、軒樋吊具の出寸法位置を調整することができる。
【００１６】
又、軒樋保持具本体の棒状体の上面から下面に貫通した長手方向に長い長孔と、下面に複数の凹凸状の係止部とが設けられ、バネ板は挟持部の上面がコ字状に切り込まれ、コ字状に切り込まれた部分が上方向に折曲されて形成されたものであり、このバネ板のほぼ中央部に貫通孔が設けられ、ピストンピンは下端部に小孔が設けられた頭部付きＴ字形部材と小棒とからなり、この小孔に小棒を差し込まれて突起が形成されているから、ピストンピンをバネ板の貫通孔と棒状体の長孔とに挿入し、ピストンピンの下端部の小孔に小棒を差し込んで突起とし、このバネ板によって、常時、ピストンピンによって固定具の頭部が押し上げられて、突起が軒樋保持具本体の棒状体の係止部に引っ掛って係止されている。
そして、ピストンピンの頭部を下方向に押すと、バネ板が押さえられ、ピストンピンの下端部に突起が軒樋保持具本体の棒状体の下面の係止部から外れ、軒樋保持具本体を長手方向に摺動することができるようになる。
従って、片手の指でピストンピンの頭部を下方向に押して軒樋保持具本体を係止部から外し、上記のように、出寸法位置を調整した後、手を離すと、バネ板が元に戻ろうとする力でピストンピンの頭部と上方向に押し上げられ、ピストンピンの下端部に突起が軒樋保持具本体の棒状体の下面の係止部に引っ掛かり、しっかりと軒樋保持具本体を支持体に止着することができる。
【００１７】
請求項３記載の発明の軒樋吊具では、支持体の腕部の屋外側先端部には、両側縁部が下方に垂下された断面略コ字形状の挟持部が設けられ、腕部の略コ字形の中に軒樋保持具本体が長手方向に摺動自在に挿入されているから、軒樋保持具本体を腕部の略コ字形の中を長手方向に摺動させて、軒樋吊具の出寸法位置を調整することができる。
【００１８】
又、軒樋保持具本体の棒状体の上面から下面に貫通した長手方向に長い長孔と、下面に複数の凹凸状の係止部とが設けられ、この挟持部に貫通孔とが設けられ、スプリングバネがピストンピンの頭部と腕部の挟持部との間に設けられ、ピストンピンは下端部に小孔が設けられた頭部付きＴ字形部材と小棒とからなり、この小孔に小棒を差し込んで突起が形成されているから、ピストンピンをスプリングバネの螺旋の内部と挟持部の貫通孔と棒状体の長孔とに挿入し、ピストンピンの下端部の小孔に小棒を差し込んで突起とし、このスプリングバネによって、常時、固定具の頭部が押し上げられて、突起が棒状体の係止部に引っ掛って係止されている。
そして、ピストンピンの頭部を下方向に押すと、スプリングバネが押さえられ、ピストンピンの下端部に突起が軒樋保持具本体の棒状体の下面の係止部から外れるようになる。
従って、片手の指でピストンピンの頭部を下方向に押して軒樋保持具本体を係止部から外し、上記のように、軒樋保持具本体を長手方向に摺動することができ、出寸法位置を調整した後、手を離すと、スプリングバネが元に戻ろうとする力でピストンピンの頭部と上方向に押し上げ、ピストンピンの下端部に突起が軒樋保持具本体の棒状体の下面の係止部に引っ掛かり、しっかりと軒樋保持具本体を支持体に止着することができる。
【００１９】
【発明の実施の形態】
本発明の一実施例を図１に基づいて説明する。
図１の（イ）は軒先に軒樋吊具を取り付けた状態を示す断面説明図、（ロ）は（イ）のＸ−Ｘ線矢視図、（ハ）はピストンピンの斜視説明図である。
図１において、Ａは軒樋吊具であり、軒樋吊具Ａは、軒樋保持具本体１と支持体２とピストンピン３とから構成されている。
【００２０】
軒樋保持具本体１は、ポリカ−ボネ−ト樹脂製で、屋内側から屋外側に伸びる棒状体１３であり、この棒状体１３の屋外側先端部に屋外側耳保持部１１が設けられ、屋外側耳保持部１１の屋内側の下部に屋内側耳保持部１２が設けられている。
この棒状体１３のほぼ中央部に上面から下面に貫通した長手方向に長い長孔１４と、下面に複数の凹凸状の係止部１６とが設けられている。
屋外側耳保持部１１は棒状体１３の先端が上方に突出したものであり、この屋外側耳保持部１１に軒樋の屋外側耳が引っかけられて保持されるようになっている。
この屋内側耳保持部１２は屋内側下面に屋外方向に突出した略Ｌ字形係止片１５と屋内方向に突出した押え片とからなり、この略Ｌ字形係止片１５に軒樋の屋外側耳が引っかけられ、押え片で押えて保持する。
【００２１】
支持体２は、ステンレス鋼製で、屋内側に設けられた取付部２１と、この取付部２１の上端部から屋外側に突出した腕部２２とからなっている。
この腕部２２の屋外側先端部には、図１に示すように、下方に垂下された断面略コ字形状の挟持部２３が設けられている。
この挟持部２３の上面のほぼ中央部が腕部２２の長さ方向とほぼ直交方向に開口し、コ字状に切り込まれ、このコ字状の切り込まれた部分が上方向に折曲されてバネ板２４が形成されている。このバネ板２４のほぼ中央部に貫通孔２５が設けられている。
【００２２】
ピストンピン３は、上端部に頭部３１と、下端部に小孔３３が設けられた頭部３１付きＴ字形部材３２と、小棒３５とからなり、この小孔３３に小棒３５を差し込むと、下端部に突起３４が形成される。
【００２３】
腕部２２の挟持部２３の略コ字形の中に、軒樋保持具本体１が長手方向に摺動自在に挿入され、ピストンピン３は、バネ板２４の貫通孔２５と軒樋保持具本体１の長孔１４の中に挿入され、小棒３５がピストンピン３の小孔３３に挿入されている。
このような構造になっているから、ピストンピン３の頭部３１と腕部２２の挟持部２３との間のバネ板２４によって、常時、ピストンピン３の頭部３１を押し上げ、ピストンピン３の小棒３５が棒状体１３の係止部１６に引っ掛かけられて係止されている。
そして、ピストンピン３を下方に押すと小棒３５が係止部１６から外れ、軒樋保持具本体１が摺動自在になり、下方に押す力がなくなると、バネ板２４がピストンピン３を上方向に移動させ、ピストンピン３の突起３４が棒状体１３の係止部１６に引っ掛かって軒樋保持具本体１が支持体２に止着する構造になっている。
【００２４】
次に、本発明の一実施例の取付方法を説明しながら、作用を説明する。
軒樋吊具Ａの支持体２の屋内側に設けられた取付部２２の通孔にビスを螺入して軒先に、軒樋吊具Ａをしっかりと取り付ける。
次に、ピストンピン３を片手の指で下方に押える。
すると、バネ板２４を下方向に押えられ、ピストンピン３の下端部の小孔３３に小棒３５を差し込んで作られた突起３４が係止部１６から外れ、軒樋保持具本体１と支持体２の挟持部２３とが摺動自在となる。
この摺動自在になった、軒樋保持具本体１を長孔１４に沿って長手方向に摺動させて、出寸法位置を決める。
【００２５】
次に、下方に押さえている力を除く。
すると、バネ板２４が戻る力によってピストンピン３が上方に移動し、ピストンピン３の下端部に設けられた突起３４が軒樋保持具本体１の棒状体１３の下面の係止部１６に係止して、突起３４がしっかりと係止部１６に係止でき、ピストンピン３で軒樋保持具本体１が支持体２に止着される。
【００２６】
このように、片手の指でピストンピン３を押えて係止部１６から突起３４を外し、軒樋保持具本体１を腕部２２の挟持部２３の略コ字形の中を長手方向に摺動させて出寸法位置を決め、押さえていた力を外すという、ワンタッチで軒樋吊具Ａの出寸法位置を簡単に、しかも、速く調整することができるので、従来のような危険がない。
【００２７】
本発明の他の実施例を図２に基づいて説明する。
図２の（イ）は軒先に軒樋吊具を取り付けた状態を示す断面説明図、（ロ）は（イ）のＹ−Ｙ線矢視図、（ハ）はピストンピンの斜視説明図である。
図１の一実施例と異なる部分は、弾性体がバネ板でなく、スプリングバネとなっている点が異なるだけで、異なる部分構造、取付方法及び作用を除いては、一実施例とほぼ同じであるので、説明は省略する。
【００２８】
図２において、Ｂは軒樋吊具であり、軒樋吊具Ｂは、軒樋保持具本体１ａと支持体２ａとピストンピン３ａとスプリングバネ４とから構成され、軒樋保持具本体１ａと支持体２ａとがピストンピン３ａで止着されるようになっている。
軒樋保持具本体１ａは、ポリカ−ボネ−ト樹脂製で、屋内側から屋外側に伸びる棒状体１３ａであり、この棒状体１３ａのほぼ中央部に上面から下面に貫通した長手方向に長い長孔１４ａと、下面に複数の凹凸状の係止部１６ａとが設けられている。
【００２９】
支持体２ａは、ステンレス鋼製で、屋内側に設けられた取付部２１ａと、この取付部２１ａの上端部から屋外側に突出した腕部２２ａとからなっている。
この腕部２２ａの屋外側先端部には、図２に示すように、下方に垂下された断面略コ字形状の挟持部２３ａと、この挟持部２３ａに上面から下面に貫通した貫通孔とが設けられている。
【００３０】
腕部２２ａの挟持部２３ａの略コ字形の中に軒樋保持具本体１ａが長手方向に摺動自在に挿入され、ピストンピン３ａがスプリングバネ４の螺旋の内部と挟持部２３の貫通孔２５ａと軒樋保持具本体１ａの長孔１４ａの中に挿入され、ピストンピン３ａの頭部１３ａと腕部２２ａの挟持部２３ａとの間のスプリングバネ４によって、常時、ピストンピン３ａの頭部１３ａが押し上げられて、ピストンピン３ａの突起３４ａが棒状体１３ａの係止部１６ａに係止され、ピストンピン３ａを下方に押すと突起３４ａが係止部１６ａから外れる構造になっている。
【００３１】
次に、本発明の他の実施例の取付方法を説明しながら、作用を説明する。
軒樋吊具Ｂの支持体２ａの屋内側に設けられた取付部２１ａの通孔にビスを螺入して軒先に、軒樋吊具Ｂをしっかりと取り付ける。
次に、ピストンピン３ａを片手の指で下方に押える。
すると、スプリングバネ４が下方向に押えるられ、ピストンピン３ａの下端部の小孔３３ａに小棒３５ａを差し込んで作られた突起３４ａが軒樋保持具本体１ａの棒状体１３ａの下面から外れ、係止部１６ａから突起３４ａが外れ、軒樋保持具本体１ａと挟持部２３ａとが摺動自在となる。
この摺動自在になっている軒樋保持具本体１ａを長孔１４ａに沿って長手方向に摺動させて、出寸法位置を決める。
【００３２】
次に、下方に押さえている力を除く。
すると、スプリングバネ４が戻る力によってピストンピン３ａが上方に移動し、ピストンピン３ａの下端部に設けられた突起３４ａが軒樋保持具本体１ａの棒状体１３ａの下面の係止部１６ａに係止して、ピストンピン３ａで軒樋保持具本体１ａが支持体２ａに止着される。
【００３３】
このように、片手の指でピストンピン３ａを押えて係止部１６ａから突起３４ａを外し、軒樋保持具本体１ａを腕部２２ａの挟持部２３ａの略コ字形の中を長手方向に摺動させて、出寸法位置を決め、押さえていた力を外すというワンタッチで軒樋吊具Ｂの出寸法位置を調整することができる。
【００３４】
以上、本発明実施例を図面に基づいて説明してきたが、具体的な構成はこの実施例の限られるものではなく本発明の要旨を逸脱しない範囲の設計変更等があっても本発明に含まれる。
【００３５】
【発明の効果】
以上、説明してきたように、請求項１記載の発明の軒樋吊具では、支持体の腕部の屋外側先端部には、両側縁部が下方に垂下された断面コ字形の挟持部が設けられ、腕部の挟持部の略コ字形の中に軒樋保持具本体が長手方向に摺動自在に挿入されているから、軒樋保持具本体を腕部の挟持部の略コ字形の中を長手方向に摺動させて、軒樋吊具の出寸法位置を調整することができる。
【００３６】
又、軒樋保持具本体は、屋外側先端部に屋外側耳保持部と、この屋外側耳保持部より屋内側に屋内側耳保持部が設けられた棒状体であり、この棒状体には上面から下面に貫通した長手方向に長い長孔と下面に係止部とが設けられ、固定具は、下端部に突起を有する頭付きＴ字形部材であり、固定具が腕部の貫通孔と軒樋保持具本体の長孔の中に挿入され、固定具の頭部と腕部の挟持部との間に弾性体が設けられているから、片手で固定具の頭付きＴ字形部材を下方向に押すと、弾性体が縮んで、固定具の下端部の突起を軒樋保持具本体の棒状体の下面の係止部から外し、軒樋保持具本体を長手方向に摺動して、出寸法位置を調整した後、手を離すと、弾性体が元に戻る力で、固定具の頭部付きＴ字形部材を上方向に押し上げ、固定具の下端部に突起が軒樋保持具本体の棒状体の下面の係止部に引っ掛かるというように、簡単に、ワンタッチで、出寸法位置を調整することができ、施工時間を短くし、高所でも安全に作業ができる。
【００３７】
請求項２記載の発明の軒樋吊具では、支持体の腕部の屋外側先端部には下方に垂下された断面略コ字形状の挟持部が設けられ、腕部の略コ字形の中に軒樋保持具本体が長手方向に摺動自在に挿入されているから、軒樋保持具本体を腕部の略コ字形の中を長手方向に摺動させて、軒樋吊具の出寸法位置を調整することができる。
【００３８】
又、軒樋保持具本体の棒状体の上面から下面に貫通した長手方向に長い長孔と、下面に複数の凹凸状の係止部とが設けられ、バネ板は挟持部の上面がコ字状に切り込まれ、コ字状に切り込まれた部分が上方向に折曲されて形成されたものであり、このバネ板のほぼ中央部に貫通孔が設けられ、ピストンピンは下端部に小孔が設けられた頭部付きＴ字形部材と小棒とからなり、この小孔に小棒を差し込まれて突起が形成されているから、片手でピストンピンの頭部を下方向に押さえて、バネ板が押さえられ、ピストンピンの下端部に突起を軒樋保持具本体の棒状体の下面の係止部から外し、出寸法位置を調整した後、手を離すと、バネ板が元に戻ろうとする力でピストンピンが上方向に押し上げられ、ピストンピンの下端部に突起が軒樋保持具本体の棒状体の下面の係止部に引っ掛かるというように、簡単に、ワンタッチで、出寸法を調整でき、施工時間を短くし、高所でも安全に作業ができる。
【００３９】
請求項３記載の発明の軒樋吊具では、支持体の腕部の屋外側先端部には下方に垂下された断面略コ字形状の挟持部が設けられ、腕部の略コ字形の中に軒樋保持具本体が長手方向に摺動自在に挿入されているから、軒樋保持具本体を腕部の略コ字形の中を長手方向に摺動させて、軒樋吊具の出寸法位置を調整することができる。
【００４０】
又、軒樋保持具本体の棒状体の上面から下面に貫通した長手方向に長い長孔と、下面に複数の凹凸状の係止部とが設けられ、腕部の屋外側先端部には、両側縁部が下方に垂下された断面略コ字形状の挟持部が、この挟持部に貫通孔とが設けられ、スプリングバネがピストンピンの頭部と腕部の挟持部との間に設けられ、ピストンピンは下端部に小孔が設けられた頭部付きＴ字形部材と小棒とからなり、この小孔に小棒を差し込んで突起が形成されているから、片手でピストンピンの頭部を下方向に押さえることにより、スプリングバネが押さえて、ピストンピンの下端部に突起を軒樋保持具本体の棒状体の下面の係止部から外して、出寸法位置を調整した後、手を離すと、スプリングバネが元に戻ろうとする力でピストンピンの頭部と上方向に押し上げられ、ピストンピンの下端部に突起が軒樋保持具本体の棒状体の下面の係止部に引っ掛かるというように、簡単に、ワンタッチで、出寸法を調整でき、施工時間を短くし、高所でも安全に作業ができる。
【図面の簡単な説明】
【図１】（イ）は軒先に軒樋吊具を取り付けた状態を示す断面説明図、（ロ）は（イ）のＸ−Ｘ線矢視図、（ハ）はピストンピンの斜視説明図である。
【図２】（イ）は軒先に軒樋吊具を取り付けた状態を示す断面説明図、（ロ）は（イ）のＹ−Ｙ線矢視図、（ハ）はピストンピンの斜視説明図である。
【符号の説明】
Ａ、Ｂ、              軒樋吊具
１、１ａ              軒樋保持具本体
１１、１１ａ          屋外側耳保持部
１２、１２ａ          屋内側耳保持部
１３、１３ａ          棒状体
１４、１４ａ          長孔
１５                  係止片
１６、１６ａ          係止部
２、２ａ              支持体
２１、２１ａ          取付部
２２、２２ａ          腕部
２３、２３ａ          挟持部
２４                  バネ板
２５、２５ａ          貫通孔
３、３ａ              ピストンピン
３１、３１ａ          頭部
３２、３２ａ          Ｔ字形部材
３３、３３ａ          小孔
３４、３４ａ          突起
３５、３５ａ          小棒
４                    スプリングバネ
【図１】
0003779026.tif 000002
【図２】
0003779026.tif 000003